(57)【要約】  【課題】特に位置決めブロックを回転可能に調整して当接手段により位置決めを行うソケットホルダを提供する  【解決手段】本発明の回転式位置決めソケットホルダは、ベースと、位置決め板と、複数の位置決めブロックを有し、該ベースは、互いに相対する内面にそれぞれレールが突設され、該レールの下側の間に連結板が設置され、該連結板に位置決め凹部が形成され、該位置決め板は、ベースの位置決め凹部に嵌め込まれ、下側からレールの間に突出する当接部が凸設され、該位置決めブロックは、回転可能かつレールの長手方向に沿って摺動可能にベースのレールに設置され、その内、該位置決めブロックは、底部を介して位置決め板の当接部と当接され、上面両側を介して２つのレールの内面と当接されることによって、３つの当接点を構成し、それらの当接点によるベース及び位置決め板に位置決めることができる。【選択図】図１
2016083727.tif 000002
【特許請求の範囲】
【請求項１】
互いに相対する内面にそれぞれレールが突設され、２つの該レールの対向する空間にそれぞれ摺動溝が形成され、２つの該レールの間に下開口が形成される、間隔をおいて対向するように設けられる２つの側板と、両端がそれぞれ該レールの底面に取り付けられ、２つの該レールの間に位置決め凹部が形成される連結板を備えるベースと、
前記ベースの位置決め凹部に嵌め込まれ、上面に下開口を通過して摺動溝に突出する当接部が凸設される、弾性プレートである位置決め板と、
それぞれ、回転可能に前記摺動溝に嵌め込むように、レールの長手方向に沿って摺動可能にベースに設置され、調整座及び該調整座の上面に設けられる位置決め柱を備える、複数の位置決めブロックと、を有し、
その内、前記位置決めブロックは、調整座の底面に位置決め板の当接部と当接する当接面が設けられると共に、該調整座の上面両側が２つのレールの内面と当接されることによって、３つの当接点を構成し、それらの当接点によるベース及び位置決め板に位置決めることを特徴とする回転式位置決めソケットホルダ。
【請求項２】
前記２つのレールの内面下側にそれぞれ下当接面が設けられ、
前記位置決め板の当接部は、中央部から両側へ行くにつれて斜め下へ平坦状のまま湾曲し、中央部の最も上の部分がレールの下当接面より突出することを特徴とする請求項１に記載の回転式位置決めソケットホルダ。
【請求項３】
前記位置決め板の一端に封止縁が下方へ向かって延設され、該封止縁がベースのレールの一端開口を封止することを特徴とする請求項２に記載の回転式位置決めソケットホルダ。
【請求項４】
前記連結板の一側近傍に位置決め孔が形成され、
前記位置決め板の底面における封止縁の近傍に位置決め凸部が突設され、該位置決め凸部が位置決め孔に係合されることを特徴とする請求項３に記載の回転式位置決めソケットホルダ。
【請求項５】
前記位置決めブロックの当接面が平坦状または波状または歯状を呈することを特徴とする請求項１乃至４の何れか１項に記載の回転式位置決めソケットホルダ。
【請求項６】
前記調整座の底面に当接凸部が下方へ突出するように設けられ、該当接凸部の底面に前記当接面が設けられることを特徴とする請求項５に記載の回転式位置決めソケットホルダ。
【請求項７】
互いに相対する内面にそれぞれレールが突設され、２つの該レールの対向する空間にそれぞれ摺動溝が形成され、２つの該レールの間に下開口が形成される、２つの側板を備えるベースと、
前記ベースの２つのレールの底部に一体成形に設けられ、上面に下開口を通過して摺動溝に突出する当接部が凸設される、細長状の弾性プレートである位置決め板と、
それぞれ、回転可能に前記摺動溝に嵌め込むように、レールの長手方向に沿って摺動可能にベースに設置され、調整座及び該調整座の上面に設けられる位置決め柱を備える、複数の位置決めブロックと、を有し、
その内、前記位置決めブロックは、調整座の底面に位置決め板の当接部と当接する当接面が形成され、該調整座の上面両側が２つのレールの内面と当接されることによって、３つの当接点を構成し、それらの当接点によるベース及び位置決め板に位置決めることを特徴とする回転式位置決めソケットホルダ。
【請求項８】
前記２つのレールの内面下側にそれぞれ下当接面が設けられ、
前記位置決め板の当接部は、中央部から両側へ行くにつれて斜め下へ平坦状のまま湾曲し、中央部の最も上の部分がレールの下当接面より突出することを特徴とする請求項７に記載の回転式位置決めソケットホルダ。
【請求項９】
前記位置決めブロックの当接面が平坦状または波状または歯状を呈することを特徴とする請求項７または８に記載の回転式位置決めソケットホルダ。
【請求項１０】
前記調整座の底面に当接凸部が下方へ突出するように設けられ、該当接凸部の底面に前記当接面が設けられることを特徴とする請求項９に記載の回転式位置決めソケットホルダ。
【発明の詳細な説明】
【技術分野】
【０００１】
本発明は、特に位置決めブロックを回転可能に調整して当接手段により位置決めを行うソケットホルダに関するものである。
【背景技術】
【０００２】
既存のソケットホルダは、レール及び複数の位置決めブロックを有し、それらの位置決めブロックが摺動可能にレールに設置されることから、該位置決めブロックにソケットを掛けるように収納することができ、また、ソケットを位置決めブロックに対して回転させることができるので、使用者はソケットを回して外周面に表示されている寸法マークを確認することができる。
【先行技術文献】
【特許文献】
【０００３】
【特許文献１】台湾特許第I３９５６４６号
【発明の概要】
【発明が解決しようとする課題】
【０００４】
しかしながら、既存のソケットホルダは、位置決めブロックを摺動自在且つ回転自在にレールに設置する構造であることから、位置決めブロックが固定されていないので、それらの位置決めブロックを移動させたり、接触したりすると、ソケットが回転して寸法マークがずれてしまう虞があった。このような状況になると、使用者は寸法マークが見えるように、それらの位置決めブロックをわざわざ回転させて元の位置に戻さなければならないので、非常に不便であり、改良する必要があった。
【課題を解決するための手段】
【０００５】
本発明に係る回転式位置決めソケットホルダは、
互いに相対する内面にそれぞれレールが突設され、２つの該レールの対向する空間にそれぞれ摺動溝が形成され、２つの該レールの間に下開口が形成される、間隔をおいて対向するように設けられる２つの側板と、両端がそれぞれ該レールの底面に取り付けられ、２つの該レールの間に位置決め凹部が形成される連結板を備えるベースと、
前記ベースの位置決め凹部に嵌め込まれ、上面に下開口を通過して摺動溝に突出する当接部が凸設される、弾性プレートである位置決め板と、
それぞれ、回転可能に前記摺動溝に嵌め込むように、レールの長手方向に沿って摺動可能にベースに設置され、調整座及び該調整座の上面に設けられる位置決め柱を備える、複数の位置決めブロックと、を有し、
その内、前記位置決めブロックは、調整座の底面に位置決め板の当接部と当接する当接面が設けられると共に、該調整座の上面両側が２つのレールの内面と当接されることによって、３つの当接点を構成し、それらの当接点によるベース及び位置決め板に位置決めるものである。
【０００６】
一方、本発明に係る回転式位置決めソケットホルダは、
互いに相対する内面にそれぞれレールが突設され、２つの該レールの対向する空間にそれぞれ摺動溝が形成され、２つの該レールの間に下開口が形成される、２つの側板を備えるベースと、
前記ベースの２つのレールの底部に一体成形に設けられ、上面に下開口を通過して摺動溝に突出する当接部が凸設される、細長状の弾性プレートである位置決め板と、
それぞれ、回転可能に前記摺動溝に嵌め込むように、レールの長手方向に沿って摺動可能にベースに設置され、調整座及び該調整座の上面に設けられる位置決め柱を備える、複数の位置決めブロックと、を有し、
その内、前記位置決めブロックは、調整座の底面に位置決め板の当接部と当接する当接面が形成され、該調整座の上面両側が２つのレールの内面と当接されることによって、３つの当接点を構成し、それらの当接点によるベース及び位置決め板に位置決めてもよい。
【０００７】
かかる回転式位置決めソケットホルダにおいて、
前記２つのレールの内面下側にそれぞれ下当接面が設けられ、
前記位置決め板の当接部は、中央部から両側へ行くにつれて斜め下へ平坦状のまま湾曲し、中央部の最も上の部分がレールの下当接面より突出することが好ましい。
【０００８】
かかる回転式位置決めソケットホルダにおいて、
前記位置決め板の一端に封止縁が下方へ向かって延設され、該封止縁がベースのレールの一端開口を封止することが好ましい。
【０００９】
かかる回転式位置決めソケットホルダにおいて、
前記連結板の一側近傍に位置決め孔が形成され、
前記位置決め板の底面における封止縁の近傍に位置決め凸部が突設され、該位置決め凸部が位置決め孔に係合されることが好ましい。
【００１０】
かかる回転式位置決めソケットホルダにおいて、
前記位置決めブロックの当接面が平坦状または波状または歯状を呈することが好ましい。
【００１１】
かかる回転式位置決めソケットホルダにおいて、
前記調整座の底面に当接凸部が下方へ突出するように設けられ、該当接凸部の底面に前記当接面が設けられることが好ましい。
【発明の効果】
【００１２】
本発明に係る回転式位置決めソケットホルダは、前記構造により、以下に示すような効果を提供することができる。
位置決めブロックが調整座を介して摺動溝に嵌め込まれることによって、当接面が位置決め板の当接部と接触すると共に、調整座の上面両側が２つのレールの内面と接触することから、それらの３箇所が接触することにより、位置決めブロックをベース及び位置決め板に位置決めることができる。故に、使用者が位置決めブロックを回転させたり摺動させたりして適当な位置に調整すれば、その位置決めブロックが位置決められるので、ベース及び位置決め板に対して摺動または回転することはない。
【００１３】
また、その位置決め板は、生産コストを低減させるために、ベースと一体に成形してもよいが、着脱可能にベースに取り付けてい。その位置決め板が着脱可能にベースに取り付ける場合に、位置決め板が弾性疲労したり損壊したりしたら、位置決め部材をベースから取り外して交換することができる。故に、使用者が場合に応じて如何なるタイプの回転式位置決めソケットホルダを自由に選択することができる。
【図面の簡単な説明】
【００１４】
【図１】本発明に係る回転式位置決めソケットホルダの第一実施例の斜視図である。
【図２】本発明に係る回転式位置決めソケットホルダの第一実施例の部分分解斜視図である。
【図３】本発明に係る回転式位置決めソケットホルダの第一実施例の部分分解斜視図である。
【図４】図１の４-４線の断面図である。
【図５】図１の５−５線の断面図である。
【図６】本発明に係る回転式位置決めソケットホルダの第一実施例において、ソケットを位置決めブロックに掛けて寸法マークを見られるように回転する操作を示す部分斜視図である。
【図７】本発明に係る回転式位置決めソケットホルダの第一実施例において、ソケットを位置決めブロックに掛けて寸法マークを見られるように回転する操作を示す部分断面図である。
【図８】本発明に係る回転式位置決めソケットホルダの第二実施例の部分分解斜視図である。
【図９】本発明に係る回転式位置決めソケットホルダの第二実施例の断面図である。
【図１０】本発明に係る回転式位置決めソケットホルダの第三実施例の部分分解斜視図である。
【図１１】本発明に係る回転式位置決めソケットホルダの第四実施例の部分分解斜視図である。
【図１２】本発明に係る回転式位置決めソケットホルダの第五実施例の断面図である。
【発明を実施するための形態】
【００１５】
図１乃至図５に示すように、本発明に係る回転式位置決めソケットホルダの第一実施例は、ベース１０と、位置決め板２０と、複数の位置決めブロック３０を有する。
【００１６】
図１及び図２に示すように、該ベース１０は、アルミニウム押出し材からなり、細長状を呈し、２つの側板１１及び連結板１２を備える。
該２つの側板１１は、間隔をおいて対向するように設けられ、互いに相対する内面にそれぞれレール１１１が突設され、該レール１１１の内面上側に上当接面１１１０が設けられ、該レール１１１の内面下側に下当接面１１１３が設けられ、その２つのレール１１１における対向する空間にそれぞれ、ベース１０の長手方向に沿って摺動溝１１２が形成され、該側板１１の上部中央に２つの摺動溝１１２と連通する上開口１１３が形成され、該側板１１の下部中央に２つの摺動溝１１２及び上開口１１３と連通する下開口１１４が形成される。
【００１７】
前記連結板１２は、断面Ｕ字形を呈し、そのＵ字形の2つの上端がそれぞれレール１１１の底面に連結され、２つのレール１１１の間に位置決め凹部１２１が形成され、一側近傍に係合穴１２２が形成される。尚、本実施例においては、上開口１１３の短辺の幅が摺動溝１１２の短辺の幅より短いと共に、下開口１１４の短辺の幅が位置決め凹部１２１の短辺の幅より短いことが好ましい。
【００１８】
図２乃至図４に示すように、前記位置決め板２０は、長細状を呈するプラスチック鋼からなるプレートであり、ベース１０の位置決め凹部１２１に嵌め込まれ、その一端に封止縁２１が下方へ延設され、底面における封止縁２１の近傍に位置決め凸部２２が突設され、該位置決め凸部２２はベース１０の位置決め孔１２２に係合され、更に、該位置決め板２０の上面中央に当接部２３が凸設され、該当接部２３は、位置決め板２０の長手方向に沿って伸びると共に、位置決め板２０の上面中央から両側へ行くにつれて斜め下へ平坦状のまま湾曲し、また、該当接部２３は、下開口１１４を通過して摺動溝１１２に突出するように、ベース１０の位置決め凹部１２１に嵌め込まれる。尚、本実施例においては、当接部２３の中央の最も上部がレール１１１の当接部より突出することが好ましい。
【００１９】
前記位置決め板２０をベース１０に取り付ける時は、位置決め板２０をベース１０の位置決め孔１２２側の開口から挿し込み、位置決め凸部２２をベース１０の位置決め孔１２２に係合し、封止縁２１でベース１０の該一側開口を封止すると、位置決め板２０がしっかりとベース１０に取り付けられる。
【００２０】
図２、図３、図５に示すように、前記位置決めブロック３０はそれぞれ、回転可能に摺動溝１１２に嵌め込むことにより、レール１１１の長手方向に沿って摺動可能にベース１０に設置する。また、前記各
位置決めブロック３０は、調整座３１及び掛け柱３２を備え、該調整座３１は、回転可能かつ摺動可能に摺動溝１１２に嵌め込まれ、形状としては平坦状の円盤体であってもよく、段差を有する円盤体であってもよい。尚、本実施例における調整座３１は、二段状の円盤体であり（図５の如く）、上部に上段部３１１が設けられ、下部に下段部３１２が設けられ、該下段部３１２の直径は上段部３１１の直径より大きく、該下段部３１２の直径は摺動溝１１２の短辺の幅より小さく、該上段部３１１の直径は上開口１１３の短辺の幅より小さい。更に、前記調整座３１の底面に平坦状の当接面３１３が形成され、前記掛け柱３２は、中空状の矩形ブロックであり、調整座３１の上段部３１１の上面に一体成形に設けられると共に、１つの外周面に係止突部３２１が凸設され、該係止突部３２１がソケットの内周面に係合されることによりソケットを固定することができる。
【００２１】
図６及び図７に示すように、本発明に係る回転式位置決めソケットホルダの第一実施例を使用する時は、それらの位置決めブロック３０にそれぞれサイズの異なるソケット４０を取り付け、ソケット４０の外周面にある寸法マーク４１を使用者側に向くように回転させながら、隣り合うソケット４０を適当な間隔に位置させれば、使用者が直接にソケット４０の寸法マーク４１をみられ、ソケット４０を取りやすい利便性を備える。
【００２２】
また、前記位置決めブロック３０の調整座３１を摺動溝１１２に嵌め込むことによって、当接面３１３が位置決め板２０の当接部２３に接触すると共に、下段部３１２の上面両側が２つのレール１１１の上当接面１１１０に接触することから、それらの３個所の接触により位置決めブロック３０をベース１０及び位置決め板２０に位置決めることができる。この構成によれば、使用者が位置決めブロック３０及びソケット４０を回転させたり摺動させたりして適当な位置に調整すれば、その位置決めブロック３０及びソケット４０が位置決めてベース１０及び位置決め板２０に対して摺動または回転することはない。
【００２３】
一方、使用者がソケット４０または位置決めブロック３０を下方へ下げてレール１１１から離間させると、位置決めブロック３０を回転自在または摺動自在に調整することができる。この構成によれば、使用者がソケット４０を位置決めブロック３０に嵌めて適当な位置に調整すれば、ソケット４０または位置決めブロック３０が摺動したり衝突することはないので、調整し直す必要がない。また、その位置決め板２０が弾性疲労により、または外力により破損した場合には、位置決め板２０を変更すればよい。
【００２４】
図８及び図９に示すように、本発明に係る回転式位置決めソケットホルダの第二実施例は、殆ど第一実施例と同一であるが、位置決めブロック３０Ａが異なる。つまり、図９に示すように、本実施例における位置決めブロック３０Ａの調整座３１Ａの底面には当接凸部３１４が下方へ突出するように設けられ、該当接凸部３１４の底面に当接面３１３が設けられ、該当接面３１３は位置決め板２０の当接部２３に接触する。尚、本実施例の使用方法は、第一実施例と同一であるので、説明は省略する。
【００２５】
図１０に示すように、本発明に係る回転式位置決めソケットホルダの第三実施例は、殆ど第一実施例と同一であるが、位置決めブロック３０Ｂが異なる。つまり、本実施例における位置決めブロック３０Ｂの当接面３１３Ｂは、表面が滑らかな波状を呈し、即ち複数の凹部と凸部とが交互に且つ環状に排列される。この構成によれば、位置決めブロック３０Ｂの当接面３１３Ｂが位置決め板２０の当接部２３と接触する時、摩擦力が増加し、位置決めブロック３０Ｂの位置決め効果が高まる。尚、本実施例の使用方法は、第一実施例と同一であるので、説明は省略する。
【００２６】
図１１に示すように、本発明に係る回転式位置決めソケットホルダの第四実施例は、殆ど第一実施例と同一であるが、位置決めブロック３０Ｃが異なる。つまり、本実施例における位置決めブロック３０Ｃの当接面３１３Ｃは、複数の山部と谷部とが交互に且つ環状に排列される。この構成によれば、位置決めブロック３０Ｃの当接面３１３Ｃが位置決め板２０の当接部２３と接触する時、摩擦力が増加し、位置決めブロック３０Ｃの位置決め効果が高まる。尚、本実施例の使用方法は、第一実施例と同一であるので、説明は省略する。
【００２７】
図１２に示すように、本発明に係る回転式位置決めソケットホルダの第五実施例は、殆ど第一実施例と同一であるが、そのベース１０Ｄ及び位置決め板２０Ｄが一体成形である点において異なり、つまり、本実施例におけるベース１０Ｄは、２つの側板１１Ｄを含み、それらの側板１１Ｄは、間隔をおいて対向するように設けられ、互いに相対する一側にそれぞれレール１１１Ｄが突設される。また、その位置決め板２０Ｄは、細長状を呈する弾性プレートであり、その長手方向の両側縁部が一体に両側のレール１１１Ｄの底部に設けられる。
上述した構造によれば、本実施例のベース１０Ｄに位置決め凹部１２１を形成しなくてもよく、一体形成のベース１０Ｄ及び位置決め板２０Ｄにより生産コストも低減できるので、極めて有益である。
【符号の説明】
【００２８】
１０、１０Ｄ      ベース
１１、１１Ｄ      側板
１１１、１１１Ｄ  レール
１１１０          上当接面
１１１３          下当接面
１１２            摺動溝
１１３            上開口
１１４            下開口
１２              連結板
１２１            位置決め凹部
１２２            位置決め孔
２０、２０Ｄ      位置決め板
２１              封止縁
２２              位置決め凸部
２３              当接部
３０、３０Ａ、３０Ｂ、３０Ｃ  位置決めブロック
３１、３１Ａ      調整座
３１１            下段部
３１２            下段部
３１３、３１３Ｂ、３１３Ｃ    当接面
３１４            当接凸部
３２              掛け柱
３２１            係止突部
４０              ソケット
４１              寸法マーク
【図１】
2016083727.tif 000003
【図２】
2016083727.tif 000004
【図３】
2016083727.tif 000005
【図４】
2016083727.tif 000006
【図５】
2016083727.tif 000007
【図６】
2016083727.tif 000008
【図７】
2016083727.tif 000009
【図８】
2016083727.tif 000010
【図９】
2016083727.tif 000011
【図１０】
2016083727.tif 000012
【図１１】
2016083727.tif 000013
【図１２】
2016083727.tif 000014